(57)【要約】【課題】外装のための特別の設備を必要とせずに効果的に封緘機能を達成できる吐出容器を提供する。【解決手段】  容器体２の口頸部４の外面に取り外し不可能にキャップ状部材１０を装着し、キャップ状部材１０の上側に配置された可動ヘッドＨを動かすことにより口頸部４内から外部への吐出路Ｌが開通するように構成するとともに、前記可動ヘッドＨを動かせないように、可動ヘッドＨを覆う筒状カバー５０の係止端部５０ｂを前記キャップ状部材１０に係止させている。前記キャップ状部材１０は、内筒部１２ａ及び外筒部１２ｂの間に形成された収納溝部Ｇを有し、この収納溝部Ｇ内に筒状カバー５０の係止端部５０ｂが抜出し不可能に嵌着されている。前記筒状カバー５０には横向きの封緘帯５０ｃに形成されている。【選択図】図２
2018070219.tif 000002
【特許請求の範囲】
【請求項１】
口頸部(４)を起立する容器体(２)と、
前記口頸部(４)の外面に封着したキャップ状部材(１０)と、
を具備し、
キャップ状部材(１０)の上側に配置された可動ヘッド(Ｈ)を動かすことにより口頸部(４)内から外部への吐出路(Ｌ)が開通するように構成するとともに、
前記可動ヘッド(Ｈ)を動かせないように、当該可動ヘッド(Ｈ)を覆う筒状カバー(５０)の下端部である係止端部(５０ｂ)を前記キャップ状部材(１０)に係止させた吐出容器において、
キャップ状部材(１０)は、内筒部(１２ａ)及び外筒部(１２ｂ)からなる２重筒部(１２)を有し、
それら内筒部(１２ａ)及び外筒部(１２ｂ)の間に形成された収納溝部(Ｇ)内に前記係止端部(５０ｂ)が抜出し不可能に嵌着されており、
前記筒状カバー(５０)に横向きに形成された封緘帯(５０ｃ)を破断させることにより、筒状カバー(５０)の係止端部(５０ｂ)と、筒状カバー(５０)の残りの部分で形成するカバー本体(５０ａ)とが分離できるように設けたことを特徴とする、封緘機能を有する吐出容器。
【請求項２】
前記封緘帯(５０ｃ)の下側破断線(ｗ１)が前記収納溝部(Ｇ)の上端部と同程度以上の高さに位置していることを特徴とする、請求項１に記載の封緘機能を有する吐出容器。
【請求項３】
前記外筒部(１２ｂ)に係合孔(１３)を形成し、この係合孔(１３)内に前記筒状カバー(５０)の外面に付設された係止凸部(５３)を係止させることが可能に形成したことを特徴とする、請求項１又は請求項２記載の封緘機能を有する吐出容器。
【請求項４】
前記キャップ状部材(１０)は、吐出孔(Ｄ)を有するキャップ頂壁(１６)を有し、このキャップ頂壁(１６)の外周から垂下した内筒部(１２ａ)と外筒部(１２ｂ)とを連結部(１２ｃ)で連結させて２重筒部(１２)を形成しており、
前記可動ヘッド(Ｈ)は、蓋板部(２２)の外周から蓋周壁(２４)を垂下するとともに、上方から見て一部が外方へ膨らむ膨出部(２６)に形成されており、
前記筒状カバー(５０)の筒壁(５６)の一部に、下端から上側に延びる膨出部挿通用開口(５８)が形成されており、
前記蓋周壁（２４）の外面に筒状カバー（５０）が装着された状態で前記内筒部(１２ａ)の上に配置されるとともに、前記膨出部挿通用開口(５８)を介して側外方へ突出された膨出部(２６)の下端を前記外筒部(１２ｂ)にヒンジ(２８)で連結しており、
前記膨出部挿通用開口(５８)の形成箇所を除く筒壁部分の下端部に前記封緘帯(５０ｃ)を形成したことを特徴とする、請求項１から請求項３のいずれかに記載の封緘機能を有する吐出容器。
【請求項５】
前記口頸部(４)内へ挿入されたポンプシリンダ(３２)の上端部に付設された鍔部(３２ｂ)を口頸部(４)の上端面へ載置させるとともに、前記ポンプシリンダ(３２)内へ作動部材(３８)の下半部を昇降可能に挿入してなり、その作動部材(３８)の上部に、可動ヘッド(Ｈ)が付設されているポンプ式吐出器(３０)を具備し、
前記キャップ状部材(１０)は、内筒部(１２ａ)及び外筒部(１２ｂ)の各下部を連結部(１２ｃ)で連結するとともに、その内筒部(１２ａ)の上部からフランジ状部(１５)を内方突出してなり、その内筒部(１２ａ)を前記口頸部(４)の外面へ固着させた状態で前記フランジ状部(１５)と口頸部(４)との間に前記鍔部(３２ｂ)を挟持できるように構成されており、
ことを特徴とする、請求項１から請求項３のいずれかに記載の封緘機能を有する吐出容器。
【発明の詳細な説明】
【技術分野】
【０００１】
本発明は、封緘機能（バージン機能）を有する吐出容器に関する。
【背景技術】
【０００２】
従来、店頭で吐出容器を製品として並べる場合に、外装なしでそのまま置くと、消費者が間違って吐出容器を開封して元に戻しても、開封したことが他人には分からない。
それを避けるために吐出容器をシュリンクフィルムで包装して、いたずら防止及びバージン性を図ることが行われている（特許文献１）。
【先行技術文献】
【特許文献】
【０００３】
【特許文献１】特開平１１−１０００５５
【特許文献２】特開２０１５−１０５１３２
【発明の概要】
【発明が解決しようとする課題】
【０００４】
特許文献１に示すように、容器にシュリンクフィルムをかける場合には、シュリンクフィルムで外装するための設備が必要であり、コストアップになる。
これに対して、容器体の口頸部にキャップ本体を固着するとともに、キャップ本体の外面に嵌合したリング筒状の下蓋の後部に上蓋をヒンジ連結した蓋体を設け、下蓋の内面下端部を、キャップ本体の対応箇所に食い込む係止部とするとともに、下蓋及び上蓋の各前壁を、弱化線を介して連結してなり、不正に上蓋を開くと破断線が破断して不正開封の跡が残ることにより、バージン性を担保したものが知られている（特許文献２）。
しかしながら、この構成では、係止部が容器の表面に露出しているため、係止部の下面に爪を差し込むなどして、キャップ本体から下蓋などを外そうという不正な試みが行われる可能性がある。
【０００５】
本発明の目的は、外装のための特別の設備を必要とせずに効果的に封緘機能を達成できる吐出容器を提供することである。
【課題を解決するための手段】
【０００６】
第１の手段は、
口頸部４を起立する容器体２と、
前記口頸部４の外面に封着したキャップ状部材１０と、
を具備し、
キャップ状部材１０の上側に配置された可動ヘッドＨを動かすことにより口頸部４内から外部への吐出路Ｌが開通するように構成するとともに、
前記可動ヘッドＨを動かせないように、当該可動ヘッドＨを覆う筒状カバー５０の下端部である係止端部５０ｂを前記キャップ状部材１０に係止させた吐出容器において、
キャップ状部材１０は、内筒部１２ａ及び外筒部１２ｂからなる２重筒部１２を有し、
それら内筒部１２ａ及び外筒部１２ｂの間に形成された収納溝部Ｇ内に前記係止端部５０ｂが抜出し不可能に嵌着されており、
前記筒状カバー５０に横向きに形成された封緘帯５０ｃを破断させることにより、筒状カバー５０の係止端部５０ｂと、筒状カバー５０の残りの部分で形成するカバー本体５０ａとが分離できるように設けた。
【０００７】
本手段では、例えば図４に示す開閉式の蓋体２０や図５に示す昇降式の吐出ヘッド４４の如く動かすことで吐出路Ｌが開通する可動ヘッドＨを有する吐出容器において、その可動ヘッドＨを動かせないように筒状カバー５０を設け、この筒状カバー５０の係止端部５０ｂを、容器体２の口頸部４に封着したキャップ状部材１０に係止させている。
その係止箇所より上側で筒状カバー５０に横向きに形成された封緘帯５０ｃを破断させることにより係止端部５０ｂとカバー本体５０ａとを分離させることができる。
キャップ状部材１０は、内筒部１２ａと外筒部１２ｂとでなる２重筒部１２を有し、内筒部１２ａと外筒部１２ｂとの間の収納溝部Ｇ内に筒状カバー５０の係止端部５０ｂが嵌合されているので、係止端部に指先をかけて不正に外そうとしても指がかからない。よってシュリンクフィルムなどの外装を用いなくても確実に封緘機能が発揮できる。
【０００８】
「可動ヘッド」は、一定の動きをさせることで吐出路を開通することができればどのようなものでもよく、例えば縦軸の回りを自転させて吐出路を開閉するタイプでもよい。
「筒状カバー」は、可動ヘッドＨを動かすことができない程度に、当該可動ヘッドＨの外面を覆う構造であればよい。可動ヘッドＨの側面に後述のノズル・膨出部・摘み部のような突起物が設けられている場合に、それら突起物を挿通させるための開口部が設けられているものを含む。
「キャップ状部材」とは、口頸部に封着した部材であり、図２に示すように口頸部への装着用の本体と蓋体とからなるキャップの本体でもよく、図５に示す如くポンプ容器の吐出装置を口頸部に装着するための装着部材であってもよいものとする。
なお、“封着”とは、口頸部を封鎖するように取り付けたという意味であり、特に封を切らない限り、口頸部から取り外すことができない態様を含む。
【０００９】
第２の手段は、第１の手段を有し、かつ
前記封緘帯５０ｃの下側破断線ｗ１が前記収納溝部Ｇの上端部と同程度以上の高さに位置している。
【００１０】
本手段では、図４又は図５に示すように、封緘帯５０ｃの下側破断線ｗ１が前記収納溝部Ｇの上端部と同程度以上の高さに位置するように設けている。従って、封緘帯５０ｃを不正に除去すると、破断痕が外部から明瞭に判別でき、不正行為があったことが一見して判る。筒状カバー及びキャップ状部材とを相互に異色に形成すると、さらに破断痕の識別が容易となる。
【００１１】
第３の手段は、第１の手段又は第２の手段を有し、かつ
前記外筒部１２ｂに係合孔１３を形成し、この係合孔１３内に前記筒状カバー５０の外面に付設された係止凸部５３を係止させることが可能に形成した。
【００１２】
本手段では、図４又は図５に示す外筒部１２ｂの係合孔１３に前記筒状カバー５０の外面に付設された係止凸部５３を係止するようにしている。この態様では、キャップ状部材１０に筒状カバー５０を取り付ける前の状態で、係合孔１３及び係止凸部５３の位置が目視できるから、それらの位置合わせが容易である。
【００１３】
第４の手段は、第１の手段から第３の手段のいずれかを有し、かつ
前記キャップ状部材１０は、吐出孔Ｄを有するキャップ頂壁１６を有し、このキャップ頂壁１６の外周から垂下した内筒部１２ａと外筒部１２ｂとを連結部１２ｃで連結させて２重筒部１２を形成しており、
前記可動ヘッドＨは、蓋板部２２の外周から蓋周壁２４を垂下するとともに、上方から見て一部が外方へ膨らむ膨出部２６に形成されており、
前記筒状カバー５０の筒壁５６の一部に、下端から上側に延びる膨出部挿通用開口５８が形成されており、
前記蓋周壁２４の外面に筒状カバー５０が装着された状態で前記内筒部１２ａの上に配置されるとともに、前記膨出部挿通用開口５８を介して側外方へ突出された膨出部２６の下端を前記外筒部１２ｂにヒンジ２８で連結しており、
前記膨出部挿通用開口５８の形成箇所を除く筒壁部分の下端部に前記封緘帯５０ｃを形成した。
【００１４】
本手段では、図１から図４に示す如く、キャップ状部材１０及び可動ヘッドＨを、相互にヒンジ連結されたキャップ本体及び蓋体として構成した例を提案している。蓋体の一部は側外方へ膨出されており、この膨出部２６がキャップ状部材１０側へ連結されている。筒状カバー５０には少なくとも膨出部挿通用開口５８を形成する。図示例では、膨出部挿通用開口５８の反対側に指掛け部挿通用開口６０を設けているが、これについては省略することができる。省略した場合には、筒状カバー５０の全体に一つの封緘帯５０ｃを設ければよい。
さらに好適な発明の一態様として、本手段を有し、かつ前記可動ヘッドＨの蓋周壁２４に膨出部２６と反対側に位置する指掛け部２９が付設されており、
前記筒状カバー５０の筒壁５６に膨出部挿通用開口５８と反対側で筒壁下端から上側へ延びる指掛け部挿通用開口６０が形成されており、
前記指掛け部２９が指掛け部挿通用開口６０を介して外方へ突出されており、
前記膨出部挿通用開口５８と指掛け部挿通用開口６０との間の各筒壁部分の下端部に一対の封緘帯５０ｃを形成した構成とすることができる。
これにより、前記筒状カバー５０の筒壁５６に形成された指掛け部挿通用開口６０を介して可動ヘッドＨの指掛け部２９が外方へ突出されているから、指掛け部２９付きの可動ヘッドＨに筒状カバー５０を嵩張ることなく装備させることができる。
【００１５】
第５の手段は、第１の手段から第３の手段のいずれかを有し、かつ
前記口頸部４内へ挿入されたポンプシリンダ３２の上端部に付設された鍔部３２ｂを口頸部４の上端面へ載置させるとともに、前記ポンプシリンダ３２内へ作動部材３８の下半部を昇降可能に挿入してなり、その作動部材３８の上部に、可動ヘッドＨが付設されているポンプ式吐出器３０を具備し、
前記キャップ状部材１０は、内筒部１２ａ及び外筒部１２ｂの各下部を連結部１２ｃで連結するとともに、その内筒部１２ａの上部からフランジ状部１５を内方突出してなり、その内筒部１２ａを前記口頸部４の外面へ固着させた状態で前記フランジ状部１５と口頸部４との間に前記鍔部３２ｂを挟持できるように構成されている。
【００１６】
本手段は、図５から図７に示す如く、可動ヘッドＨを含む作動部材３８とポンプシリンダ３２とで形成するポンプ容器を提案している。可動ヘッドＨは、ノズルを側外方へ突出したノズルヘッドでもよく、またヘッド周面に吐出孔を開口した吐出ヘッドであっても構わない。
さらに好適な発明の一態様として、本手段を有し、かつ前記可動ヘッドは、側外方へノズル４４ｅを突出するノズルヘッドであり、そのノズル４４ｅが、前記筒状カバー５０の筒壁５６の下端から上側へ延びるノズル挿通用開口６２を介して、外方突出されるように設けるともに、ノズル挿通用開口６２の形成箇所を除く筒壁部分の下端部に前記封緘帯５０ｃを形成した構成とすることができる。
これにより、筒状カバー５０のノズル挿通用開口６２を介してノズル４４ｅが外方突出されるから、ノズル４４ｅ付きの可動ヘッドＨに筒状カバー５０を嵩張ることなく装備させることができる。
【発明の効果】
【００１７】
第１の手段に係る発明によれば、可動ヘッドＨを覆う筒状カバー５０の係止端部５０ｂを、キャップ状部材１０の内筒部１２ａ及び外筒部１２ｂの間の収納溝部Ｇ内に抜出し不能に嵌着させたから、痕跡を残さずに不正に開封することが困難であり、封緘機能の実現にシュリンクフィルム等の外装を必要としない。
第２の手段に係る発明によれば、封緘帯５０ｃの下側破断線ｗ１が前記収納溝部Ｇの上端部と同程度以上の高さに位置しているから、不正に封緘帯５０ｃを破断させたときに、収納溝部Ｇに残った係止端部５０ｂの破断痕が外部から視認でき、不正行為に気づき易い。
第３の手段に係る発明によれば、外筒部１２ｂに形成した係合孔１３に筒状カバー５０の外面に付設した係止凸部５３を嵌合するように設けたから、係合孔１３及び係止凸部５３を位置合わせすることが容易である。
第４の手段に係る発明によれば、筒状カバー５０により覆われた可動ヘッドＨの一部として形成された膨出部２６が、筒状カバー５０の膨出部挿通用開口５８を介して外方へ突出され、膨出部２６の下端部が前記外筒部１２ｂにヒンジ２８で連結されているから、ヒンジキャップ付き吐出容器を的確に封緘させることができる。
第５の手段に係る発明によれば、口頸部４の外面に固着された内筒部１２ａと外筒部１２ｂとの間の収納溝部Ｇに、ノズルヘッドである可動ヘッドＨを覆う封緘帯５０ｃ付きの筒状カバー５０の係止端部５０ｂを嵌着させたから、ポンプ式の吐出容器を的確に封緘させることができる。
【図面の簡単な説明】
【００１８】
【図１】本発明の第１実施形態に係る封緘機能を有する吐出容器の平面図である。
【図２】図１の吐出容器のＩＩ−ＩＩ方向（側方）から見た縦断面図である。
【図３】図１の吐出容器の正面図である。
【図４】図２の吐出容器のＩＶ−ＩＶ方向から見た縦断面図である。
【図５】本発明の第２実施形態に係る封緘機能を有する吐出容器の側面図である。
【図６】図５の吐出容器の平面図である。
【図７】図５の吐出容器の正面図である。
【発明を実施するための最良の形態】
【００１９】
図１から図４は、本発明の第１実施形態に係る吐出容器を示している。この吐出容器は、容器体２と、キャップ状部材１０及び蓋体２０と、筒状カバー５０とで構成されている。これら各部材は例えば合成樹脂で形成することができる。
【００２０】
容器体２は、胴部から肩部を介して口頸部４を起立している。口頸部４の外面下部には係合リブ６が周設されている。
【００２１】
キャップ状部材１０は、図２に示す如く、内筒部１２ａ及び外筒部１２ｂを有する２重筒部１２と、前記内筒部１２ａの上端に連続するキャップ頂壁１６とからなり、前記内筒部１２ａを口頸部４の外面に嵌合（図示例では螺合）させている。
前記内筒部１２ａと外筒部１２ｂの間には、後述の筒状カバー５０の係止端部５０ｂを収納するための収納溝部Ｇが形成されている。
図示例の２重筒部１２では、前記内筒部１２ａ及び外筒部１２ｂは同じ長さであり、その長さ方向の中間部を連結部１２ｃで連結している。連結部１２ｃの下側では内筒部１２ａ及び外筒部１２ｂの間に、両筒部に連続する補剛部１２ｄが形成されており、連結部１２ｃの上側で内筒部１２ａ及び外筒部１２ｂの間に収納溝部Ｇが形成されている。
また前記内筒部１２ａ及び外筒部１２ｂの各上端面は、ほぼ面一に形成されている。
もっともこれらの構成は適宜変更することができる。
前記連結部１２ｃの上方において、前記外筒部１２ｂには、図２に示す如く、少なくとも１箇所、或いは周方向に離れた複数の個所に、係合孔１３が形成されている。図示例の係合孔１３は横長の長方形状に形成されているが、その形状は適宜変更することができる。しかしながら、後述の係止凸部５３が係止するための横長の係止面が孔縁の上側に形成されていることが望ましい。
また外筒部１２ｂの後部の上端部には、後述の蓋体２０がヒンジ２８で連結されている。なお、本実施形態では、便宜的に、図２の右側（ヒンジを設けた側）を後側と、反対側を前側と呼ぶものとする。
【００２２】
前記内筒部４ａの下端には封緘手段１４が付設されている。
図示の封緘手段１４は、外筒部１２ｂ又は補剛部１２ｄの下端に複数の破断片１４ｂを介して、容器体２を囲む封緘リング１４ａを連結するとともに、封緘リング１４ａの内面から弾性を有する複数の爪部１４ｃを上内方へ突出して形成してなる。
これらの爪部１４ｃは、前記容器体２の外面に付設された横方向の係合リブ６の下面に係止されている。前記爪部１４ｃは、キャップ状部材１０を容器体２に嵌合させるときには、前記係合リブ６と接触して外側に押し込まれ、係合リブ６を乗り越えたときに、内方へ広がって係合リブ６の下面に係止するように形成されている。もっともこれらの構造は適宜変更することができる。
仮に不正にキャップ状部材１０を口頸部から外そうとすれば、前記破断片１４ｂが切れ、封緘リング１４ａが容器体２の肩部の上に残るので、不正行為があったことが明瞭になる。
【００２３】
前記キャップ頂壁１６は、図２に示す如く、外周部で前記内筒部１２ａに連続しており、前記口頸部４の上に載置されている。外周部より内側の頂壁部分は外周部より高く形成されている。またキャップ頂壁１６の前側、即ちヒンジ２８から離れた側には、吐出孔Ｄが開口され、図示例では、その孔縁から上側が拡開する孔壁ｄが起立されている。口頸部４の内部から孔壁ｄの内部へ至る流路を吐出路Ｌというものとする。
キャップ頂壁１６の裏面からは、図４に示す如く、シール筒部１８が垂下され、前記口頸部４の内面上端部に液密に当接させている。
【００２４】
蓋体２０は、特許請求の範囲中の可動ヘッドＨに相当するものであり、図２に示す如く、蓋板部２２の外周から蓋周壁２４を垂下してなり、この蓋周壁２４の後部下端を、前記ヒンジ２８で外筒部１２ｂの後部上端に連結している。本実施形態では、図１に点線で示す如く、蓋体の後部は後方へ膨らむ膨出部２６に形成されている。蓋周壁２４は、後部以外の蓋体部分において２重筒部１２の内筒部１２ａの上に載置されているが、前記膨出部では、内筒部１２ａから離れて外方へ膨らみ、図４に点線で示すヒンジ２８により外筒部１２ｂの上端に連結されている。もっともこれらの構造は適宜変更することができる。
図示例では、蓋板部２２の裏面からは、栓部２３及び栓部を囲む包囲筒部２５が垂下され、この栓部２３が前記吐出孔Ｄを液密に閉塞している。また前記蓋体２０の前部からは、指掛け部２９が前方へ突出している。
【００２５】
筒状カバー５０は、本実施形態において有頂筒状であり、天板５４の外周から筒壁５６を垂下してなる。これら天板５４及び筒壁５６は、筒状カバー５０の筒壁５６の下端部で形成する係止端部５０ｂを、前記収納溝部Ｇ内に嵌着させた状態で、蓋体の上面及び側面を覆うことで、蓋体２０を開方向へ回動できないようにしている。もっとも、この構造は適宜変更することができ、例えば天板に代えて、蓋体の上面を係止する適数の突起を筒壁の内面上端に付設したような構造でも構わない。
前記係止端部５０ｂの上側には、横方向に延びる封緘帯５０ｃを形成する。この封緘帯５０ｃの上下両側には、図４に示す上側破断線ｗ２及び下側破断線ｗ１がそれぞれ形成されており、筒状カバー５０のうちで封緘帯５０ｃの上側の部分であるカバー本体５０ａと、係止端部５０ｂとを分離できるように形成している。
好適な図示例において、前記下側破断線ｗ１は収納溝部Ｇの上端とほぼ同じ高さにある。この構成によれば、不正に破断されたときに、他人が破断痕に気づき易い。
この場合、キャップ状部材１０及び筒状カバー５０を、異色にすると破断痕の認識が容易である。異色の例として、赤と緑の如き補色（反対色）が好適であるが、明色と暗色の如く十分に区別できる程度であればよい。筒状カバー５０に関しては、単に表面に着色をするのではなく、色素を材料に混ぜて破断箇所に所定の色が現れるようにするとよい。
【００２６】
本実施形態では、筒状カバー５０の筒壁５６の前部及び後部をそれぞれ筒壁下端から上側へ（図示例では筒壁上端まで）切り欠いて、指掛け部挿通用開口６０及び膨出部挿通用開口５８に形成している。もっともこれらの構成は適宜変更することができる。
この形態では、指掛け部挿通用開口６０及び膨出部挿通用開口５８を形成することにより、筒壁５６は２つの筒壁部分に分断され、各筒壁部分に前記係止端部５０ｂ及び封緘帯５０ｃが形成される。
【００２７】
図示例では、図３に示す如く一対の封緘帯５０ｃの前端部を摘み部５２に形成している。
前記係止端部５０ｂの外面には、少なくとも一つ（図示例では複数）の係止凸部５３が係止されている。係止端部５０ｂが前記収納溝部Ｇ内に収納されている状態で、これら係止凸部５３は、前記外筒部１２ｂの係合孔１３に係止し、係止端部の上方抜け出しを防止する。図示の係止凸部５３は上面が平坦であり、係合孔１３の孔縁の上側に係合することにより上記係止作用を確実なものとしている。
係止凸部５３及び係合孔１３の位置関係は、相互に合致するだけではなく、前記指掛け部２９が指掛け部挿通用開口６０内に、かつ膨出部２６が膨出部挿通用開口５８内にそれぞれ挿入されたときに、係止凸部５３が係合孔１３に合致するように設定する必要がある。
筒状カバー５０をキャップ状部材１０に組み付ける際には、筒状カバー５０の指掛け部挿通用開口６０が指掛け部２９の上に、膨出部挿通用開口５８が膨出部２６の上にあるように筒状カバー５０のおおよその位置を合せ、さらに係止凸部５３が係合孔１３の真上にあるように位置を調整することにより、的確に位置合わせを行うことができる。
【００２８】
以上の構成において、図４に示す状態では、筒状カバー５０が可動ヘッドＨである蓋体２０の上面及び側面を覆っており、封緘帯５０ｃを除去しない限り、蓋体２０の開蓋操作をすることができない。
すなわち、係止端部５０ｂは２重筒部１２の収納溝部Ｇ内に嵌着・係止されており、外筒部１２ｂが保護筒となって、係止端部５０ｂの下端に指を掛けて筒状カバー５０を外す操作を不可能としているので、封緘機能が高い。
封緘帯５０ｃを除去するときには、各封緘帯５０ｃの摘み部５２を摘まんで、順次破断させればよく、これにより、一対の係止端部５０ｂをそれぞれカバー本体５０ａから分離できるので、カバー本体５０ａを取り外し、蓋体２０を自由に開閉できる。
なお、仮に不正に封緘帯５０ｃを除去すれば、下側破断線ｗ１の破断痕が収納溝部Ｇの上端付近に表れるので、不正行為があったことが明確に判る。
【００２９】
以下、本発明の他の実施形態について説明する。これらの説明において、第１実施形態と同じ構成については解説を省略する。
【００３０】
図５から図７は、本発明の第２実施形態に係る吐出容器を示している。この実施形態は、本発明をポンプ容器に適用したものである。この容器は、容器体２と、吐出器３０と、筒状カバー５０とで構成している。これら各部材は、例えば合成樹脂や金属で形成することができる。
【００３１】
吐出器３０は、キャップ状部材１０と、ポンプシリンダ３２と、補助キャップ３６と、作動部材３８と、補助筒部材４２とで形成されている。
【００３２】
キャップ状部材１０は、第１実施形態の構成のうちでキャップ頂壁を省略して、２重筒部１２とフランジ状部１５と封緘手段１４とを有する略筒状の部材として形成される。
２重筒部１２は、内筒部１２ａと外筒部１２ｂとの適所（図示例では各筒部の下端部）を連結部１２ｃで連結している。
フランジ状部１５は、内筒部１２ａの上端から短く内方突出している。図示例のフランジ状部１５は、斜め下向きに短く突出しており、内筒部１２ａを口頸部４外面に螺合した状態でフランジ状部１５の先端が後述のポンプシリンダ３２の鍔部の外端部を上から押し付け、口頸部４の上端面との間に挟持するように構成されている。
従って２重筒部１２の下面に付設された封緘手段１４が開封されない限り、キャップ状部材１０及び吐出器３０を口頸部４から外すことができない。
【００３３】
前記ポンプシリンダ３２は、シリンダ周壁３２ａの上部に鍔部３２ｂを有する。この鍔部３２ｂを、パッキンＰを介して前記フランジ状部１５と容器体２の上端との間に挟持させることにより、前記ポンプシリンダ３２は容器体２内に支持されている。ポンプシリンダ３２の下端からは吸上げパイプ３４が垂下されている。シリンダ周壁３２ａの下部内には第１逆止弁（図示せず）が形成されている。また前記シリンダ周壁３２ａを鍔部３２ｂ上方へ延長して延長筒部３２ｃを形成している。
【００３４】
補助キャップ３６は、後述の作動部材３８及び補助筒部材４２の抜け止めのために、ポンプシリンダ３２に対して、好ましくは取り外しできないように固定されている。
図示例の補助キャップ３６は、小径筒部３６ａ及び中径筒部３６ｂの上端部を連結壁部３６ｃで連結するとともに、この連結壁部３６ｃを側外方へ延長し、この延長壁部の外周から大径筒部３６ｄを垂下している。さらに前記小径筒部３６ａから上方へ取付筒部３６ｅが延設されている。
そして小径筒部３６ａ及び中径筒部３６ｂの間に前記延長筒部３２ｃを挟持し、嵌着している。
【００３５】
作動部材３８は、従来公知の構造であり、その一つの態様を以下に説明する。この態様は、単なる一つの実施例に過ぎず、他の態様であっても発明の範囲から除外されるものではない。
この態様において、作動部材は、嵌合用筒の下端からフランジ状壁部を外方突出してなるピストンガイド（図示せず）と、前記嵌合用筒に嵌合され、上方へ起立するステム４０と、ステムの下端の拡径筒部とフランジ状壁部との間に昇降可能に配置された筒状ピストン（図示せず）と、ステムの上端に付設されたノズルヘッド４４を有する。
前記筒状ピストンは、シリンダ周壁３２ａの内面に摺接する外側筒部及び前記拡径筒部に摺接する内側筒部からなる２重筒状に形成されている。
前記フランジ状壁部と筒状ピストンの内側筒部との間に第２逆止弁が設けられており、この第２逆止弁とステムの内部とを連通する通液孔がステム又はピストンガイドの適所に設けられている。
作動部材３８とポンプシリンダ３２の下部との間には、作動部材を上方へ付勢するコイルスプリングが介装されている。
ノズルヘッド４４は、特許請求の範囲中の可動ヘッドＨに相当するものである。図示例のノズルヘッド４４は、ヘッド頂壁４４ａの外周から大径のヘッド周壁４４ｂを、ヘッド頂壁４４ａの裏面から中径の取付周壁４４ｄ及び小径の通液管４４ｃをそれぞれ同心状に垂下している。もっともこれらの構造は適宜変更することができる。
前記取付周壁４４ｄは、図１の状態において、前記取付筒部３６ｅの外面に離脱可能に嵌合（図示例では螺合）されている。
前記通液管４４ｃは、前記ステム４０の上端部に、好ましくは取り外し不能に嵌着・固定されている。図示例では、通液管４４ｃの下部外面とステム４０の上部内面と相互にかみ合う抜止め用の凹凸手段を周設している。
前記ヘッド周壁４４ｂからは、ステム４０の内部と連通するノズル４４ｅが側外方されている。本実施形態においてステム４０の内部からノズル４４ｅの内部へ至る流路を吐出路Ｌというものとする。
【００３６】
補助筒部材４２は、前記ステム４０と、シリンダ周壁３２ａ及び補助キャップ３６との間に昇降可能に配置されており、シリンダ周壁３２ａの上部に形成された通気孔（図示せず）を、作動部材の昇降に応じて開閉する機能を有する。補助筒部材４２の下半部は段差部（図示せず）を介して大径に形成されており、その段差部が補助キャップ３６の下端に係止することにより、補助筒部材４２及び作動部材３８の上方抜出しを防止している。なお、補助筒部材は、省略しても構わない。
【００３７】
前述の吐出器３０の公知の作用を簡単に説明する。そのステム４０にノズルヘッド４４を取り付け、キャップ状部材１０を容器体２の容器体２に取り付けて、作動部材を押し下げると、第１逆止弁が閉じ、第２逆止弁が開いてポンプシリンダ３２内の液体がステム４０を介してノズル４４ｅから吐出され、押下げを解放すると、作動部材が押し上げられて、第２逆止弁が閉じるとともに第１逆止弁が開き、容器体内の液体が第１逆止弁を介してポンプシリンダ３２内へ入る。
【００３８】
筒状カバー５０は、筒壁５６の一部に、その筒壁下端から上側に切欠いてなるノズル挿通用開口６２を有する。ノズル挿通用開口を形成した箇所を除く筒壁部分には、一つの封緘帯５０ｃ及び一つの係止端部５０ｂが形成されている。
従って、筒状カバー５０は、ノズルヘッド４４のノズル４４ｅが前記ノズル挿通用開口６２内に入るように位置合わせをして、ノズルヘッド４４に被せるとともに、係止端部５０ｂを、内筒部１２ａ及び外筒部１２ｂの間の収納溝部Ｇに嵌着させることでキャップ状部材１０に組み付けることができる。
【符号の説明】
【００３９】
２…容器体  ４…口頸部  ６…係合リブ
１０…キャップ状部材  １２…２重筒部  １２ａ…内筒部  １２ｂ…外筒部
１２ｃ…連結部  １２ｄ…補剛部  １３…係合孔
１４…封緘手段  １４ａ…封緘リング  １４ｂ…破断片  １４ｃ…爪部
１５…フランジ状部  １６…キャップ頂壁  １８…シール筒部  
２０…蓋体  ２２…蓋板部  ２３…栓部  ２４…蓋周壁  ２５…包囲筒部
２６…膨出部  ２８…ヒンジ
２９…指掛け部
３０…吐出器  ３２…ポンプシリンダ  ３２ａ…シリンダ周壁  ３２ｂ…鍔部
３２ｃ…延長筒部  ３４…吸上げパイプ
３６…補助キャップ  ３６ａ…内筒部  ３６ｂ…中径筒部  ３６ｃ…連結部
３６ｄ…大径筒部  ３６ｅ…取付筒部
３８…作動部材  ４０…ステム  ４２…補助筒部材
４４…吐出ヘッド（ノズルヘッド）  ４４ａ…ヘッド頂壁
４４ｂ…ヘッド周壁  ４４ｃ…通液管  ４４ｄ…取付周壁  ４４ｅ…ノズル
５０…筒状カバー    ５０ａ…カバー本体  ５０ｂ…係止端部  ５０ｃ…封緘帯
５２…摘み部  ５３…係止凸部  ５４…天板  ５６…筒壁
５８…膨出部挿通用開口  ６０…指掛け部挿通用開口  ６２…ノズル挿通用開口
Ｄ…吐出孔  ｄ…孔壁  Ｈ…可動ヘッド  Ｇ…収納溝部  Ｌ…吐出路
Ｐ…パッキン  ｗ１…下側破断線  ｗ２…上側破断線
【図１】
2018070219.tif 000003
【図２】
2018070219.tif 000004
【図３】
2018070219.tif 000005
【図４】
2018070219.tif 000006
【図５】
2018070219.tif 000007
【図６】
2018070219.tif 000008
【図７】
2018070219.tif 000009